(57)【要約】【課題】患部の探し出し時、及び患部の処置時において良好なモニタ画面を提供できる体腔内観察装置を提供する。【解決手段】映像信号処理機１８には、モニタ２０の画面を追尾領域１００と非追尾領域１０２とに分離し、また、追尾領域１０４と非追尾領域１０６とに分離する領域分離部１０８が設けられている。非追尾領域１０６は、非追尾領域１０２よりも大きい。領域分離部１０８は、手動スイッチ１１０からの選択信号により、非追尾領域１０２又は非追尾領域１０６が選択され、どちらの選択状態においても非追尾領域１０２、１０６内にマーカ部Ｍの重心Ｃｇが位置している場合には、トリミング部８６の機能を停止するようにトリミング部８６を制御するとともに、追尾領域１００、１０４内にマーカ部Ｍの重心Ｃｇが位置した場合には、トリミング部８６を動作させ、マーカ部Ｍの重心Ｃｇがモニタ２０の画面中心部に位置に位置するようにトリミング部８６を制御する。【選択図】      図６
2007222239.tif 000002
【特許請求の範囲】
【請求項１】
被検者の体腔内に挿通具をガイドとして挿入される処置具と、前記被検者の体壁開口部に取り付けられる観察部と、前記観察部によって撮像された前記体腔内を表示するモニタと、前記観察部によって撮像された体腔内を示す画像から前記処置具又は挿通具に付されたマーカ部の位置を検出するマーカ位置検出手段と、前記マーカ位置検出手段によって検出された前記マーカ部の位置が前記モニタの画面の中心部に位置するように追尾する追尾手段と、を備えたことを特徴とする体腔内観察装置において、
前記モニタの画面は、追尾領域と非追尾領域とに分離されるとともに、前記非追尾領域に前記マーカ部が位置している状態では前記追尾手段の機能が停止され、
前記非追尾領域は、前記モニタの画面の略中央部に位置する第１の非追尾領域と、前記第１の非追尾領域よりも大きい領域の第２の非追尾領域とに切り替えられることを特徴とする体腔内観察装置。
【請求項２】
前記追尾手段は、
前記マーカ位置検出手段によって検出された前記マーカ部の位置が前記モニタの画面の中心部に位置するように画像を所定の領域にトリミングするトリミング手段と、
前記トリミング手段によってトリミングされた前記所定の領域を前記モニタに所定の倍率で拡大表示させる拡大表示手段とからなることを特徴とする請求項１に記載の体腔内観察装置。
【発明の詳細な説明】
【技術分野】
【０００１】
本発明は体腔内観察装置に係り、特に被検者の体腔内をモニタ表示しながら各種処置を施す体腔内観察装置に関する。
【背景技術】
【０００２】
体腔内観察装置である腹腔鏡装置は、患者の腹部表面からトラカール（挿通具）を体腔内に穿刺した後、このトラカールをガイドとしての腹腔鏡挿入部を体腔内に挿入し、体腔内の癒着の有無、卵巣腫瘍、子宮筋腫等の被観察体をモニタ表示しながら癒着治療等の各種処置を施す装置である。また、腹腔鏡は、臨床時において固定部に取り付けられた可動ホルダに保持され、固定状態に維持されている（例えば、特許文献１）。
【０００３】
また、腹腔鏡装置による臨床時には、実際に処置を行っている被観察体をモニタ画面の中心で観察するために、体腔内に位置する処置具の先端部の位置を検出し、この先端部がモニタの画像の中心に常に位置するように処置具の先端部を追尾することが行われている。特許文献１に記載の追尾機構は、腹腔鏡の体外に位置する部分に取り付けられた磁気式３次元位置センサによって構成されている。この磁気式３次元位置センサは、腹腔鏡に取り付けられた磁気ソースと、処置具に取り付けられた磁気センサとから構成され、体外に位置する磁気センサの設置位置から体内に位置する処置具の処置用先端部の位置を回転・並進の座標変換方式によって算出し、体腔内に位置する処置具の先端部の位置情報を求めるようにしている。
【０００４】
ところで、前記追尾機構を有する腹腔鏡装置では、モニタ画面に表示される観察画像が処置具の移動にともない常に移動するため、患部の治療、検査等の作業時に処置具を動かすたびにモニタ画面がふらふらと動き、施術者にとっては患部の観察や、処置がし難い場合がある。
【０００５】
特許文献２には、このような不具合を解決する腹腔鏡装置が開示されている。この腹腔鏡装置は、モニタ画面をその中央の非追尾領域とこの非追尾領域の外側の追尾領域とに分離し、処置具が非追尾領域から外れた追尾領域に移動すると、追尾機能がＯＮになり、処置具の画像をモニタ画面の中心部に移動させ、処置具が非追尾領域に位置している状態では追尾機能がＯＦＦになり、観察画像のふらつきを防止している。
【特許文献１】特開平８−１６４１４８号公報
【特許文献２】特開平９−２６６８８２号公報
【発明の開示】
【発明が解決しようとする課題】
【０００６】
しかしながら、前記特許文献２の腹腔鏡装置は、モニタ画面の大きさに対して非追尾領域が大きいため、広範囲に処置具を移動させる患部の治療時には、画面がふらふらと動かないため便利であるが、患部を探し出す作業時においては、処置具の位置が画面の中心部に常に位置するように処置具を追尾することが好ましいため不便である。この不具合は、全画面を追尾領域に切り替えることにより解消するが、これでは、処置具の微小な動き（振動）にも追尾機能が働くため、モニタ画面が常に微小に動き、施術者にとっては画像が見辛いという欠点があった。
【０００７】
本発明はこのような事情に鑑みてなされたもので、患部の探し出し時、及び患部の処置時において良好なモニタ画面を提供できる体腔内観察装置を提供することを目的とする。
【課題を解決するための手段】
【０００８】
請求項１に記載の発明は、前記目的を達成するために、被検者の体腔内に挿通具をガイドとして挿入される処置具と、前記被検者の体壁開口部に取り付けられる観察部と、前記観察部によって撮像された前記体腔内を表示するモニタと、前記観察部によって撮像された体腔内を示す画像から前記処置具又は挿通具に付されたマーカ部の位置を検出するマーカ位置検出手段と、前記マーカ位置検出手段によって検出された前記マーカ部の位置が前記モニタの画面の中心部に位置するように追尾する追尾手段と、を備えたことを特徴とする体腔内観察装置において、前記モニタの画面は、追尾領域と非追尾領域とに分離されるとともに、前記非追尾領域に前記マーカ部が位置している状態では前記追尾手段の機能が停止され、前記非追尾領域は、前記モニタの画面の略中央部に位置する第１の非追尾領域と、前記第１の非追尾領域よりも大きい領域の第２の非追尾領域とに切り替えられることを特徴としている。
【０００９】
請求項１に記載の発明によれば、モニタの画面を追尾領域と非追尾領域とに分離するとともに、この非追尾領域を、モニタの画面の略中央部に位置する第１の非追尾領域と、この第１の非追尾領域よりも第２の非追尾領域とに切り替え可能とした。
【００１０】
処置具の位置が画面の中心部に常に位置するように処置具を追尾することが好ましい患部の探し出し時には、非追尾領域の小さい第１の非追尾領域を選択する。よって、領域の小さい第１の非追尾領域からマーカ部が外れると、マーカ部は追尾領域に位置するので、マーカ部の少量の動きでも追尾機能が働く。これにより、患部の探し出し時には、処置具の位置が画面の中心部に常に位置する。また、処置具の微小な動き、振動は、第１の非追尾領域内で生じるため追尾機能は働かない。よって、モニタ画面が動くことはなく、施術者にとって見易い画面となる。一方、広範囲に処置具を移動させる患部の治療時には、非追尾領域の大きい第２の非追尾領域を選択する。これにより、領域の大きい第２の非追尾領域内でマーカ部が移動しても画面は動かないので、施術者にとって患部の処置がし易くなる。したがって、本発明の体腔内観察装置によれば、患部の探し出し時、及び患部の処置時において良好なモニタ画面を提供できる。
【００１１】
請求項２に記載の発明は、請求項１において、前記追尾手段は、前記マーカ位置検出手段によって検出された前記マーカ部の位置が前記モニタの画面の中心部に位置するように画像を所定の領域にトリミングするトリミング手段と、前記トリミング手段によってトリミングされた前記所定の領域を前記モニタに所定の倍率で拡大表示させる拡大表示手段とからなることを特徴としている。
【発明の効果】
【００１２】
本発明に係る体腔内観察装置によれば、非追尾領域を第１の非追尾領域と、この第１の非追尾領域よりも大きい第２の非追尾領域とに切り替え可能とし、処置具の位置が画面の中心部に常に位置するように処置具を追尾することが好ましい患部の探し出し時には、非追尾領域の小さい第１の非追尾領域を選択し、広範囲に処置具を移動させる患部の治療時には、非追尾領域の大きい第２の非追尾領域を選択するようにしたので、患部の探し出し時、及び患部の処置時において良好なモニタ画面を提供できる。
【発明を実施するための最良の形態】
【００１３】
以下、添付図面に従って本発明に係る体腔内観察装置の好ましい実施の形態について説明する。
【００１４】
図１は、本発明の実施の形態に係る体腔内観察装置１０のシステム構成図が示され、図２は体腔内観察装置１０による臨床状況が示されている。
【００１５】
図１、図２に示すように体腔内観察装置１０は処置具１２、トラカール（挿通具）１４、観察ユニット（観察部）１６、映像信号処理機１８、及びモニタ２０等から構成される。なお、この観察ユニット１６に代えて、体腔内画像を撮像する内視鏡、硬性鏡を観察部として用いることもできる。
【００１６】
処置具１２は、手術台２２に寝かされた被検者２４の体腔２６内の患部を処置するものであり、術者２８が操作する操作部３０が設けられている。また、この処置具１２は、操作部３０の先端に挿入部３２が接続され、挿入部３２の先端には鉗子部３４が設けられている。
【００１７】
処置具１２の挿入部３２は、図２の如く被検者２４の腹部４２の表面から穿刺されたトラカール１４をガイドとして体腔２６内に挿入される。トラカール１４は、先端が先鋭状に形成された金属性の中空管４４と、この中空管４４の基端に設けられた軟性の把持管４６とから構成される。このように構成されたトラカール１４は、術者２８が把持管４６を把持し、中空管４４の先鋭状先端を先頭にして腹部４２を穿刺することにより中空管４４が体腔２６内に挿入される。
【００１８】
観察ユニット１６は図１に示すように略円柱状に形成され、トラカール１４の穿刺位置の近傍で腹部４２を切除して広げられた開口部４３に固定されている。観察ユニット１６は、図２の如く略円柱状に形成されたユニット本体４８と、ユニット本体４８の雄ねじ部４９に螺合されて腹壁（腹皮）をユニット本体４８との間で挟圧するナット部５０とから構成される。この挟圧保持によって観察ユニット１６が開口部４３に固定される。
【００１９】
ユニット本体４８には、複数のＬＥＤ（発光ダイオード）５２、バッテリ５４、レンズ５６とＣＣＤ（撮像素子）５８とを備えた観察光学系６０、及び映像信号を無線により送信する映像信号送信部６２が内蔵されている。ＬＥＤ５２、５２…は、ユニット本体４８の中心軸を中心とする同一円周上に等間隔で複数個配置されている。また、ＬＥＤ５２を収納する収納凹部６４が、透明板又は散光板等のプレート６６によって密閉されている。更に、観察光学系６０は、ユニット本体４８の中心軸にその光軸が合致するように配置されている。観察光学系６０のレンズ５６の前方には透明板６８が配置され、この透明板６８によって観察光学系６０の収納凹部７０が密閉されている。
【００２０】
バッテリ５４は、小型軽量を考慮してボタン電池が用いられる。このバッテリ５４は、ユニット本体４８の上面に着脱自在に取り付けられたキャップ７２を取り外すことにより、新たなバッテリ５４と交換される。バッテリ５４は図３の如くＬＥＤ５２、ＣＣＤ５８、及び映像信号送信部６２に電力を供給するとともに、ＣＣＤ５８からの出力信号を映像信号に処理する映像信号処理部７４にも電力を供給する。この映像信号処理部７４も図２に示したユニット本体４８に内蔵されている。
【００２１】
このように構成された観察ユニット１６によれば、ＬＥＤ５２、５２…によって被観察体３６が照明され、その被観察体の光像がレンズ５６を介してＣＣＤ５８に結像される。そして、ＣＣＤ５８からの出力信号は、映像信号処理部７４によって映像信号に処理された後、映像信号送信部６２のアンテナ７６から図１に示した映像信号処理機１８に送信される。すなわち、観察ユニット１６は、内蔵されたバッテリ５４によって照明、撮像、映像信号を送信するという機能を兼ね備えている。
【００２２】
映像信号処理機１８に送信された映像信号は、図３に示すように映像信号受信部７８のアンテナ８０によって受信される。そして、受信された映像信号は、歪曲補正制御部８２によってレンズ５６が持つ歪曲特性が補正された後、マーカ位置検出部（マーカ位置検出手段）８４、トリミング部（トリミング手段）８６、及び拡大部（拡大表示手段）８８からなるマーカ追尾制御部９０に出力される。
【００２３】
ここでマーカ追尾制御部９０について説明する。
【００２４】
図２に示した観察ユニット１６の観察光学系６０は、観察ユニット１６が体壁開口部４３に固定されるため、体腔２６全体を見渡せることができる広い観察視野を有するものが適用される。しかしながら、観察視野の広い（例えば視野角１７０°）観察光学系６０によって撮像された撮像領域の全領域をモニタ２０に全表示した場合、処置具又はトラカール１４の先端部近傍の本当に観察したい部位の画像が小さくなるという不具合が発生する。
【００２５】
この不具合を解消するために、図２の如く処置具１２の鉗子部３４に、体色とは全く異なる色（例えば：緑）のマーカＭを付ける。そして、マーカ追尾制御部９０による画像処理において、図３のマーカ位置検出部８４によりマーカＭの位置を検出する。次に、このマーカＭがモニタ２０の画面の中心部に位置するように画像をトリミング部８６によって所定の領域にトリミングする。次いで、その画像領域を拡大部８８によってモニタ２０に所定の倍率で拡大表示する。拡大倍率は、映像信号処理機１８の倍率調整ツマミ１９を操作することによって調整する。このような画像処理によって、本当に観察したい部位の画像をモニタ２０に大きく表示することができるので、観察視野の広い観察光学系を用いた場合の前記不具合を解消できる。すなわち、観察ユニット１６を術者が何も操作することなく体壁開口部４３に固定した状態で使用することができるので、臨床に不都合なく術者を少人数化できる。また、処置具１２の操作によってマーカＭの位置が変わっても、マーカ位置検出部８４によってマーカＭを常に追尾しているので、マーカＭ近傍の画像を常に拡大して観察することができる。なお、マーカＭはトラカール１４の先端に付してもよい。
【００２６】
実施の形態の映像信号処理機１８は、切替スイッチ９２を有している。この切替スイッチ９２は、モニタ２０に出力する映像信号を、歪曲特性が補正されただけの映像信号又はマーカＭを自動追尾して拡大した映像信号のうち、一つの映像信号を選択的に切り替えるものである。後者に切り替えた場合には、モニタ２０においてマーカＭ近傍の画像を拡大して観察することができ、前者に切り替えた場合には、観察視野の広い観察光学系６０によって撮像された撮像領域の全領域をモニタ２０で観察することができる。体腔２６全体における処置具１２の鉗子部３４の位置を把握する場合に便利である。
【００２７】
ところで、実施の形態の体腔内観察装置１０のマーカ位置検出部８４は、画素抽出部９４、及び算出部９６から構成される。
【００２８】
画素抽出部９４は、観察ユニット１６によって撮像された体腔内を示す画像から、処置具１２に付された緑色のマーカＭと同一の色の画素群を抽出する。そして、この画素群の重心の位置をマーカＭの位置として算出部９６が算出する。これにより、画素抽出部９４と算出部９６の回路をマーカ位置検出部８４に組み込むだけで、マーカＭの位置を検出することができるので、機械装置を別途設けることなく簡単な構成で処置具１２の先端部を検出することができる。
【００２９】
具体的に説明すると、画素抽出部９４は、観察ユニット１６のＣＣＤ５８から映像信号送信部６２を介して出力されるＲ、Ｇ、Ｂ出力値のうちマーカＭの緑色に含まれる色成分の出力値が、マーカＭの緑色に含まれない色成分の出力値よりも所定の閾値以上大きい画素を前記画素群として抽出する。
【００３０】
次に、算出部９６による算出例を下記に説明する。
【００３１】
座標(x, y)における色c={r, g, b}の画素値をf(x,y,c)とすると、緑色領域の重心点Cgは次式で与えられる。
【数１】
2007222239.tif 000003
ここでtは転置、WとHはそれぞれ腹腔鏡入力画像の水平方向、垂直方向の画素数を表す。tg,r、 tg,bは緑色検出に用いる閾値パラメータである。重心点の算出において、本システムでは計算コストを削減するために縦・横方向共に５画素毎に検出を行う。なお、１画素毎に検出を行ってもよい。
【００３２】
なお、図４には閾値パラメータtg,r、 tg,b  を設定した際の緑色（判定）領域が示されている。同図の横軸はＧ−Ｒの画素値差分が示され、縦軸はＧ−Ｂの画素値差分が示されている。
【００３３】
また、マーカＭを黄色とした場合には、同様に黄色領域の重心点Cyは次式で得られる。
【数２】
2007222239.tif 000004
Tg.b、 tr.b は黄色検出に用いる閾値パラメータである。
【００３４】
なお、図５には閾値パラメータTg.b、 tr.b  を設定した際の黄色（判定）領域が示されている。同図の横軸はＧ−Ｂの画素値差分が示され、縦軸はＲ−Ｂの画素値差分が示されている。
【００３５】
以上、緑色、及び黄色が付された各色領域の重心点を算出部９６が求めることにより、二本の処置具１２、１２が同時に挿入された場合でも、二本の処置具１２、１２の先端位置を検出することが出来る。
【００３６】
また、このように画素抽出部９４が、観察ユニット１６のＣＣＤ５８から出力されるＲ、Ｇ、Ｂ出力値のうちマーカＭの色に含まれる色成分の出力値が、マーカＭの色に含まれない色成分の出力値よりも所定の閾値以上大きい画素を前記画素群として抽出するので、本当に抽出したい画素、すなわちマーカＭの色を抽出することができる。
【００３７】
一方、映像信号処理機１８には、モニタ２０の画面を図６の如く、追尾領域１００と非追尾領域（第１の非追尾領域）１０２とに分離し、また、図７の如く、追尾領域１０４と非追尾領域（第２の非追尾領域）１０６とに分離する領域分離部１０８が設けられている。図６の非追尾領域１０２は、モニタ２０の画面略中央部に位置する、二点鎖線で示す境界線Ｌ１によって囲まれた矩形状の領域であり、その外側に位置する帯状の領域が追尾領域１００である。同様に、図７に示す非追尾領域１０６は、図６に示した非追尾領域１０２よりも大きく、二点鎖線で示す境界線Ｌ２によって囲まれた矩形状の領域であり、その外側に位置する帯状の領域が追尾領域１０４である。
【００３８】
また、領域分離部１０８は、手動スイッチ１１０からの選択信号により、図６に示した第１の分離状態又は図７に示した第２の分離状態が選択され、どちらの選択状態においても非追尾領域１０２、１０６内にマーカ部Ｍの重心Ｃｇが位置している場合には、トリミング部８６の機能を停止するようにトリミング部８６を制御するとともに、追尾領域１００、１０４内にマーカ部Ｍの重心Ｃｇが位置した場合には、トリミング部８６を動作させ、マーカ部Ｍの重心Ｃｇがモニタ２０の画面中心部に位置するようにトリミング部８６を制御する。
【００３９】
次に、前記の如く構成された体腔内観察装置１０の作用について説明する。
【００４０】
まず、処置具１２の位置がモニタ２０の画面の中心部に常に位置するように処置具１２を追尾することが好ましい患部の探し出し時には、非追尾領域の小さい図６の非追尾領域１０２を利用する分離状態を手動スイッチ１１０によって選択する。
【００４１】
よって、患部の探し出し時に、領域の小さい非追尾領域１０２からマーカ部Ｍが外れると、マーカ部Ｍは追尾領域１００に位置するので、マーカ部Ｍの少量の動きでもトリミング部８６による追尾機能が働く。これにより、患部の探し出し時には、処置具１２の位置が画面の中心部に常に位置する。また、処置具１２の微小な動き、振動は、非追尾領域１０２内で生じるため追尾機能は働かない。よって、処置具１２の微小な動き、振動によってモニタ２０の画面が動くことはなく、施術者にとって見易い画面となる。
【００４２】
次に、広範囲に処置具１２を移動させる患部の治療時には、非追尾領域の大きい図７の非追尾領域１０６を利用する分離状態を手動スイッチ１１０によって選択する。これにより、領域の大きい非追尾領域１０４内でマーカ部Ｍが移動しても画面は動かないので、施術者にとっては患部の処置がし易くなる。
【００４３】
したがって、実施の形態の体腔内観察装置１０によれば、患部の探し出し時、及び患部の処置時において良好なモニタ画面を提供できる。
【図面の簡単な説明】
【００４４】
【図１】観察光学系が一体となった観察ユニットを有する体腔内観察装置のシステム構成図
【図２】図１に示した体腔内観察装置による臨床状況を示す説明図
【図３】図１に示した体腔内観察装置の構成を示すブロック図
【図４】閾値パラメータを設定した際の緑色領域を示した図
【図５】閾値パラメータを設定した際の黄色領域を示した図
【図６】非追尾領域の小さい第１の非追尾領域を示したモニタ画面の説明図
【図７】非追尾領域の大きい第２の非追尾領域を示したモニタ画面の説明図
【符号の説明】
【００４５】
１０…体腔内観察装置、１２…処置具、１４…トラカール、１６…観察ユニット、１８…映像信号処理機、２０…モニタ、２６…体腔、４８…ユニット本体、５２…ＬＥＤ、５４…バッテリ、５８…ＣＣＤ、６０…観察光学系、６２…映像信号送信部、７４…映像信号処理部、８４…マーカ位置検出部、９４…画素抽出部、９６…算出部、１０８…領域分離部、１１０…手動スイッチ
【図１】
2007222239.tif 000005
【図２】
2007222239.tif 000006
【図３】
2007222239.tif 000007
【図４】
2007222239.tif 000008
【図５】
2007222239.tif 000009
【図６】
2007222239.tif 000010
【図７】
2007222239.tif 000011